(57)【要約】【課題】      公共切換電話回線網を介したコントロールセンタとクライアントサイトとの間の双方データ通信に用いる計測通信装置とその通信方法を提供する。【解決手段】  本発明の通信は、抑制呼出（ＤＥＰＲＥＳＳＥＤ  ＲＩＮＧＩＮＧ）マナーで行い、電話使用に関するプライオリティをユーザに与えるものである。コントロールセンタとメータとの間のデータ送信中に行う、全電話操作が、送信を中断させ、したがって計測通信装置中のライン切換モジュールが、電話ラインを電話に切換え、ユーザの電話使用に妨げとならないようにする。【選択図】    図１
2004312670.tif 000002
【特許請求の範囲】
【請求項１】
電話の呼出信号を受信し、呼出信号よりコーラーＩＤを取得し、コーラーＩＤを送信する、呼出信号検知モジュールと、
少なくとも１つの電話番号を保存する、メモリと、
呼出信号検知モジュールとメモリとに接続され、コーラーＩＤを受信し、メモリ内の電話番号を確認し、結果として得た信号を送信する、中央演算モジュールと、
中央演算ユニットに接続され、結果として得た信号を受信し、コーラーＩＤが保存された電話番号と一致した場合、電話ラインをデータ送信モジュールに切換えて、コマンド信号を供給し、コーラーＩＤが保存された電話番号と異なった場合、電話ラインを電話に切換える、ライン切換モジュールと、
ライン切換モジュールに接続され、コマンド信号を受信した場合、コントロールセンタとの双方通信が可能な、データ送信モジュールとを有する、
コントロールセンタとクライアントサイトのメータとの間の双方送信が公共切換電話回線網を通じて可能な、
計測通信装置。
【請求項２】
前記中央演算モジュールが、マイクロプロセッサから出来ていることを特徴とする、請求項１に記載の計測通信装置。
【請求項３】
前記メモリが、電気的に消去可能で、プログラム可能な読み出し専用メモリであることを特徴とする、請求項１に記載の計測通信装置。
【請求項４】
前記ライン切り替えモジュールは、更にクライアントサイトの電話と接続され、占有信号を中央演算モジュールに生成させ、電話線を電話に切換える、ユーザプライオリティ検知器を有することを特徴とする、請求項１に記載の計測通信装置。
【請求項５】
前記データ送信モジュールは、更にデータ送信モジュールとコントロールセンタとが通信中にその表示を行う、データ送信表示器を有することを特徴とする、請求項１に記載の計測通信装置。
【請求項６】
前記データ通信モジュールは、更にコントロールセンタとの通信のために公共切換電話回線網に接続される、モデムを有することを特徴とする、請求項１に記載の計測通信装置。
【請求項７】
前記中央演算モジュールとデータ送信モジュールが、ＲＳ２３２インターフェイスを通じてデータを送受信することを特徴とする、請求項１に記載の計測通信装置。
【請求項８】
前記中央演算モジュールとデータ送信モジュールが、第一および第二フォーマット間のデータ変換のために、第一通信インターフェイス、第一および第二インターフェイストランスフォーマ、第二送信インターフェイスを通じてデータを送受信することを特徴とする、請求項１に記載の計測通信装置。
【請求項９】
前記第一および第二インターフェイストランスフォーマが、ＲＳ２３２またはＲＳ４８５インターフェイストランスフォーマであることを特徴とする、請求項１に記載の計測通信装置。
【請求項１０】
コントロールセンタからの呼出抑制信号を計測通信装置に送り、
計測通信装置によって呼出信号のコーラーＩＤを取得し、
コーラーＩＤがコントロールセンタの電話番号かどうかを確認し、
前記コーラーＩＤの確認後、電話線をメータに切換え、コントロールセンタとメータとの間で通信を行い、
ユーザが電話を使用しているかどうかを確認し、
コントロールセンタとメータとの間の通信を中止し、ユーザが電話を利用できるように電話線を電話に切換える、
公共切換電話回線網と計測通信装置とを通じて、クライアントサイトのメータとデータ通信を行うコントロールセンタに利用する、外方計測通信方法。
【請求項１１】
コーラーＩＤがコントロールセンタの電話番号であるか否かを確認するステップが、少なくとも一つの計測通信装置に保存されたコントロールセンタの電話番号のコーラーＩＤと比較することを特徴とする、請求項１０に記載の外方計測通信手段。
【請求項１２】
コーラーＩＤがコントロールセンタの電話番号であるか否かを確認した後、電話線が電話に切換えられ、コントロールセンタの電話番号と異なった番号と判別した場合、電話呼出音が鳴ることを特徴とする、請求項１０に記載の外方計測通信手段。
【請求項１３】
ユーザが電話を使用しているか否かを確認した後、ユーザが使用していないと判断された場合、コントロールセンタとメータとの間の通信が継続されることを特徴とする、請求項１０に記載の外方計測通信手段。
【請求項１４】
コントロールセンタとメータとの間の通信中、計測通信装置が、通信が実施中であることを伝える表示を行うことを特徴とする、請求項１０に記載の外方計測通信手段。
【請求項１５】
クライアントサイトの電話が占有されていないことを確認し、
電話ラインをメータに切換え、
ユーザが電話を利用しているか否かを確認し、
計測通信装置からの呼出信号をコントロールセンタに送り、
メータとコントロールセンタとの通信を行い、
ユーザが電話を使用しているかを確認し、
メータとコントロールセンタとの通信を中止し、ユーザが電話を利用できるように電話ラインを電話に切換える、
公共切換電話回線網と計測通信装置とを通じて、クライアントサイトのメータとデータ通信を行うコントロールセンタに利用する、内方計測通信手段。
【請求項１６】
ユーザが電話を使用しているか否かを確認した後、ユーザが電話を利用していないと判断した場合、メータとコントロールセンタとの通信を継続することを特徴とする、請求項１５に記載の内方計測通信手段。
【請求項１７】
メータとコントロールセンタとの間の通信中に、計測通信装置が、通信が実施中であることを告げる表示をすることを特徴とする、請求項１５に記載の内方計測通信手段。
【発明の詳細な説明】
【技術分野】
【０００１】
本発明は、概してリモート計測通信装置とリモート計測通信（ＲＥＭＯＴＥ  ＣＯＭＭＵＮＩＣＡＴＩＯＮ  ＭＥＴＥＲＩＮＧ）方法に関し、特にクライアント装置‐コントロールセンタ間の電話回線を通じたデータの通信を計測する方法に関するものである。
【背景技術】
【０００２】
水道局、電力会社、ガス会社といった公共事業関連会社が、水道メータ、電力メータ、ガスメータのデータを定期的に点検するメータ記録係を採用するようになって久しく、点検の際に、入力者が、コントロールセンタのコンピュータにデータを入力することによって情報を変更することが可能なシステムである。
【０００３】
共有データは、非対称デジタル加入者回線（ＡＤＳＬ）や公衆電話交換網（ＰＳＴＮ）といった、現在有線の電話網を介して送信されている。ＰＳＴＮは、現状では各家庭において、最も一般的な通信方法であり、遠隔計測システムの主要ゲートウエイとされている。遠隔計測システムは、公共事業関連会社の手動計測プロセスに取って代わるものとなりつつある。
【０００４】
図１に示されるように、米国特許第５３５９６４１号の遠隔計測システムの組織図は、コントロールセンタａや、コミュニケーションインターフェイスｂや、クライアントサイトｃといった３つの主要部を含むものである。このシステムは、切換ネットワークとコミュニケーションインターフェイスｂとを通じて、クライントサイトｃのメータ情報にアクセスする。コミュニケーションインターフェイスｂは、異なった装置に応答する複数の搬送波を有することによって、コントロールセンタａが、クライアントサイトｃの装置を区別することが可能であり、切換ネットワークとコミュニケーションインターフェイスｂとを通じて、データにアクセスすることが可能である。
【０００５】
図２に示したのは、台湾特許第４７８６９１号で開示された、呼出信号抑制モジュール（ＲＩＮＧＩＮＧ  ＳＵＰＰＲＥＳＳＩＯＮ  ＭＯＤＵＬＥ）ｄの組織構成である。このシステムは、呼出信号無しでクライアントサイトの電話ラインに接続するための、電話送信ネットワークにおける呼出信号抑制モジュールｄを含むものである。呼出信号抑制モジュールｄが、オンフック送信によって計測インターフェイスｅを稼働させると、公共事業関連会社のコントロールモジュールｆが、計測インターフェイスｅから送られるデータパッケージを取得し、必要情報にアクセスするために、計測インターフェイスｅへコマンドを供給する。このシステムの利点としては、呼出信号抑制が、クライアントの電話利用を妨げるものとはならないという点にある。
【０００６】
米国特許第５３５１２８９号において、電話機や、ファックス機や、モデムといった、コントロール通信装置に利用が可能なコーラーＩＤ（ナンバーディスプレイ）電話セキュリティ装置は、電話をかけた者（コーラー）の識別プロセスを通じて、電話会社の呼出信号をコントロールすることによって、選択的に通信を許可したり、通話をブロックしたりするものである。コーラーＩＤ信号は、第一呼出信号と第二呼出信号との間に伝送される。電子切替装置が、コーラーＩＤ信号を受信し、復調し、保存されたデータと照合し、パネル（表示装置）上にＩＤを表示し、特定の装置へコミュニケーション信号を切換える。この装置の利点としては、クライアントが電話をかけた者のＩＤを取得できるという点が挙げられる。
【発明の開示】
【発明が解決しようとする課題】
【０００７】
しかしながら、まず手動によるメータ情報の点検や入力には、誤りが起こり易い。例えば、メータ記録員が、誤った記録をしたり、入力者が、誤った入力をしたりする可能性がある。個人の支出を節約するためには、データの正確性を向上させ、現代のデータ送信技術を利用することによって、公共事業関連会社が、テレメトリインターフェイス（ＴＥＬＥＭＥＴＲＹ  ＩＮＴＥＲＦＡＣＥ）を利用して、需給計器を監視する遠隔システムが求められている。テレメトリインターフェイスとは、クライアントサイトのメータの計測（ＭＥＴＥＲＩＮＧ）と状況データを取得し、データをコントロールセンタへと送る通信ゲートウエイである。
【０００８】
米国特許第５３５９６４１号の通信インターフェイスｂは、クライアントサイトｃで多くの種類の装置の役割を果たすために、複数の搬送ネットワークを含むことが可能であるが、電話会社による切換ネットワークの占有や、装置にかかる費用がこの利用を非現実的なものとしている。
【０００９】
台湾特許第４７８６９１号に関して、データの取得および通信は、コントロールモジュールｆから、呼出信号抑制モジュールｄを介して、計測インターフェイスｅへのみ制御が可能である。この反面、計測インターフェイスｅは、呼出信号抑制モジュールｄを介してコントロールモジュールｆとアクティブに通信することに用いることが出来ない。言い換えれば、呼出信号抑制モジュールｄは、テレメトリシステムのコントロールモジュールｆのコマンドにのみ応答するということである。また、このシステムは、コストが高く、アップグレートが容易ではない。
【００１０】
米国特許第５３５１２８９号においては、反対に通話がブロックされ、他の利用が出来ない状態であった場合、ユーザがその状況を認識できず、電話を使用する際の妨げとなるといった問題もある。
【課題を解決するための手段】
【００１１】
したがって、本発明の目的は、遠隔測定装置と、クライアント側のメータとコントロールセンタとの間の電話ラインを介した、計測データの通信方法を提供するものである。コントロールセンタが、通信ネットワークを介して、クライアントサイドでコンピュータ化された計測通信装置を呼出した場合、電話会社より供給されるコーラーＩＤが、まずクライアントサイドの計測通信装置で以って検知される。コーラーＩＤと計測通信装置中に保存されたＩＤとを照らし合わせることによって、計測通信装置は、コントロールセンタとメータとの間のデータ通信（例えばガスメータのデータ伝送）を行うために、電話ラインをデータ送信モジュールに切換える。信号接続およびデータ通信は、呼出音無しで行われ、ユーザの妨げとなるものではない。ＩＤ照合において、コントロールセンタに記録されたものとＩＤが異なっていた場合、電話ラインは、電話に切換えられる。そして、呼出音が復活し、ユーザが電話に答えることが出来る。
【００１２】
計測データの送信は、コントロールセンタによって指示されるだけではなく、計測通信装置によって稼動させることも可能である。したがって、計測通信装置は、データをコントロールセンタに送信し、双方通信を成就するために、アクティブにコールセンタにコンタクトすることが可能である。
【００１３】
本発明は、またユーザプライオリティ（優先）機能を搭載することが可能である。計測通信装置と公共事業関連会社のコントロールセンタとの間のデータ通信の間、もしユーザが電話を利用すると、ユーザの操作を検知するユーザプライオリティ検知器が、電話線をライン切換えモジュールを介した電話の使用に切換え、したがってユーザの電話の利用を妨げことにはならない。
【発明を実施するための最良の形態】
【００１４】
図３に示されるように、本発明の計測通信装置８１は、コントロールセンタ７０と少なくとも一つのクライアントサイト８０との間のデータ送信に利用されるものである。構成要件としては、コントロールセンタ７０と、クライアントサイト８０と、公共切換電話回線網９０とを含む。
【００１５】
コントロールセンタ７０は、水道会社や、電力会社や、ガス会社のような公共事業関連会社におけるコントロール装置のことである。
【００１６】
クライアントサイト８０は、計測通信装置８１と、電話８２と、メータ８３とを含むものである。メータ８３は、コンピュータ化されたガスメータであったり、水道メータであったり、電力メータであったりする。電話８２とメータ８３とは、計測通信装置８１に平行に接続される。
【００１７】
コントロールセンタ７０が、公共切換電話回線網９０（すなわち電話会社の切換装置）を介して呼出抑制マナーで呼び出した場合、まず電話会社によって供給されたコーラーＩＤ信号が、計測通信装置８１によって検知される。計測通信装置８１は、このコーラーＩＤとコントロールセンタ７０に記録された幾つかのコーラーＩＤとを比較し、コーラーがコントロールセンタ７０か否かを確認（点検）する。ここで、ＩＤ番号は、１以上と成り得る。コーラーが、コントロールセンタ７０であった場合、電話ラインは、コントロールセンタ７０とメータ８３との間のデータ通信のために、通信測定装置８１のデータ送信モジュールに切換えられる。例えば、コントロールセンタ７０と計測通信装置８１との間の規定のプロトコル中のガスメータデータを伝送する。データ送信は、クライアントサイト８０の電話８２を鳴らすことなく行われるので、ユーザの邪魔となることはない。
【００１８】
しかし、コーラーＩＤが、コールセンタ７０の電話番号でなかったとしたら、計測通信装置８１が、電話ラインを電話８２に切換え、呼出音を発し、ユーザが応答可能とする。
【００１９】
計測通信装置８１のデータ通信は、メータ８３のデータを取得するために、コントロールセンタ７０のコマンドによって、コントロール可能であり、また計測通信装置８１そのものによって開始することも可能である。すなわち、クライアントサイト８０は、双方通信を達成するために、アクティブにそして定期的にメータデータをコントロールセンタ７０にレポートすることが可能である。
【００２０】
コントロールセンタ７０によって開始されるクライアントサイト８０へのデータ送信は、外方送信（ＯＵＴＢＯＵＮＤ  ＴＲＡＮＳＭＩＳＳＩＯＮ）である。クライアントサイト８０で開始したコントロールセンタ７０への送信は、内方送信（ＩＮＢＯＵＮＤ  ＴＲＡＮＳＭＩＳＳＩＯＮ）である。
【００２１】
図４は、計測通信装置８１と電話８２およびメータ８１への接続を説明するブロック図である。計測通信装置８１は、呼出信号検知モジュール８１１と、中央演算モジュール８１２と、ライン切換モジュール８１３と、データ送信モジュール８１４と、メモリ８１５と、（図示しない）電力源、（図示しない）電力低下検知モジュールとを含むものである。
【００２２】
呼出信号検知モジュール８１１は、電話がかかり、呼出信号Ｓ１に入ったコーラーＩＤ信号を取得し、中央演算モジュール８１２にコーラーＩＤ信号を送信すると、呼出（ダイヤル）信号を検知する。コーラーＩＤを含む呼出信号Ｓ１には、２つのフォーマットがあり、それらは、信号の最初にＩＤ番号を持つＤＦＭＦフォーマットと第一と第二呼出信号との間にＩＤ番号を持つＦＳＫフォーマットである。呼出信号検知モジュール８１１は、中央演算モジュール８１２によって処理されるコーラーＩＤを取得するために、両方のフォーマットにも適応が可能である。
【００２３】
メモリ８１５は、コントロールセンタ７０の事前設定の電話番号を保存するための電気的消去可能ＰＲＭ（ＥＥＰＲＯＭ）である。ＥＥＰＲＯＭは、電源が低下またはオフにたったとしてもデータを保存した状態を保つものである。
【００２４】
中央演算モジュール８１２は、他のモジュールの論理コントロール用のマイクロプロセッサから成り、計測通信装置８１の全機能を処理するものである。呼出信号検知モジュール８１１によって検知されたコーラーＩＤを受信した時、コントロールセンタ７０であれば、それを中央演算モジュール８１２が識別し、結果として得られる信号Ｓ２をライン切換モジュール８１３に伝送する。結果として得られる信号Ｓ２は、コーラーが、コントロールセンタ７０かどうかを表示するものである。
【００２５】
中央演算モジュール８１２によって送られた結果として得られる信号Ｓ２を受信した後、ライン切換モジュール８１３は、選択的に電話ラインをメータ８３または電話８２に切換える。メータ８３に切換える場合、ライン切換モジュール８１３は、コマンド信号Ｓ３を移し、メータデータをコントロールセンタ７０に移すデータ送信モジュール８１４に通知する。電話８２に切換える場合、ユーザを呼び出す電話の呼出音となる。ライン切換モジュール８１４は、更にユーザプライオリティ検知器８１３１を含む。ユーザ（コーラーまたはレシーバー）が、コントロールセンタ７０やメータ８３からの通信の有無に係わらず、常に電話８２を使用するに当たって優先される。計測通信装置８１とコントロールセンタ７０との間のデータ通信の間、もしユーザが電話をかけ始めたら、電話の使用中と不使用中とでは電圧が異なるため、ユーザプライオリティ検知器８１３１が、ユーザ操作の違いを検知し、利用中（占有）信号を中央演算モジュール８１２に生成する。中央演算モジュール８１２は、更に結果として得られた信号Ｓ２をライン切換モジュール８１３に移送し、電話線を電話８２に切換え、ユーザが電話を利用できるようになる。
【００２６】
データ送信モジュール８１４は、公共切換電話回線網９０とメータ８３とに接続するモデム中に設置されている。コントロールセンタ７０のモデムに接続する場合、データ通信モジュール８１４は、コントロールセンタ７０とメータ８３との間のデータ送受信をする。
【００２７】
異なったクライアントサイト８０の計測通信装置８１とメータ８３との距離は、様々であるため、送信信号の減衰を避ける目的で、データ送信インターフェイスが、オリジナルＲＳ２３２から、ＲＳ２３２／ＲＳ４８５トランスフォームインターフェイス（ＴＲＡＮＳＦＯＲＭＩＮＧ）を介してＲＳ４８５へとトランスフォームする。ＲＳ４８５インターフェイスは、１２００メートルの最高送信距離を誇り、ホームユーズでの要求を充分満たすものである。
【００２８】
データ送信モジュール８１４は、更にデータ送信表示機８１４１を含む。コントロールセンタ７０が、メータ８３と通信する場合、例えばＬＥＤのような、データ送信表示機８１４１は、光を発し、データ送信が進行中であることをユーザに知らせる。
【００２９】
上記のモジュールの他に、計測通信装置８１は、更に電源や、電力低下検知や、表示に関するモジュールを含むことが可能である。全システムに稼動電圧を供給する電源は、主にバッテリである。バッテリーパワーが、予め設定したレベルより低いことを電力低下検知および表示モジュールによって検知した場合、ＬＥＤのようなインジケータが、点灯し、ユーザにバッテリ充電を知らせる。
【００３０】
クライアントサイト８０のメータ８３を読み取るために、データ送信には２通りある。コントロールセンタ７０で開始したデータ送信は、外方送信である。コントロールセンタ７０へのアクティブレポートを目的としてクライアントサイト８０のメータ８３によって開始される送信は、内方送信である。
【００３１】
外方通信のフローチャートは、図５に示されている。全操作に関する組織構成はまた、図４に示されている。まず、呼出抑圧信号をコントロールセンタ７０から計測通信装置８１に送る（ステップ１０）。前記信号が、コントロールセンタ７０から、公共切換電話回線網９０を介して、クライアントサイト８０へと送られる。
【００３２】
そして、計測通信装置８１によって呼出信号からコーラーＩＤを取得する（ステップ２０）。計測通信装置８１は、呼出信号Ｓ１を受信し、呼出信号検知モジュール８１１が、呼出信号のコーラーＩＤを取得する。
【００３３】
更に、コーラーＩＤが、コントロールセンタの電話番号かどうか判別する（ステップ３０）。中央演算モジュール８１２は、検知されたコーラーＩＤとメモリ８１５に保存されたコントロールセンタ７０の電話番号と比較して、コーラーが、コントロールセンタ７０かどうかの確認をする。
【００３４】
もし、コーラーＩＤが、コントロールセンタ７０の電話番号であった場合、電話ラインは、メータに切換えられ（ステップ４１）、コントロールセンタ７０とメータ８３との間のデータ送信を開始するために、コマンド信号Ｓ３は、ライン切換モジュール８１３からデータ送信モジュール８１４に送られる。
【００３５】
また、コーラーＩＤがコントロールセンタ７０の電話番号でなかった場合、ライン切換モジュール８１３は、電話ラインを電話８２に切換え、電話呼出音を鳴らし（ステップ４２）、電話を受けるユーザに知らせる。
【００３６】
電話８０が、切換モジュール８１３によって、データ送信モジュール８１４に接続された場合、コントロールセンタは、送信が実施可能であることを確認する。そして、メータとコントロールセンタとの間の通信を開始する（ステップ５０）。データ送信モジュール８１４は、ガスメータの読み取り等の、クライアントサイト８０のデータをコントロールセンタ７０に送ることによって、コントロールセンタ７０がメータ８３のデータを取得することが可能となる。データ送信中、ＬＥＤのような、データ送信表示機８１４は、点灯してユーザにデータがメータ８３とコントロールセンタ７０との間で送信中であることを知らせる。
【００３７】
データ送信の後、データ送信が完了したかを確認する（ステップ６１）。データ送信モジュール８１４が、全データの送信を完了した後、コントロールセンタとメータとの間の通信を終了し、電話ラインを電話へと切換える（ステップ７０）。そして、外方通信が完了する。
【００３８】
データ通信モジュール８１４のデータ通信が、完了していなかった場合、ユーザが電話と使用しているかどうかを確認する（ステップ６２）。もしユーザが電話を使用していなかったら、メータとコントロールセンタとの間の通信が継続される。しかし、ユーザが電話８０を使用し始めた場合、コントロールセンタとメータとの間の通信を中止し、電話線を電話に切換える（ステップ７０）。
【００３９】
内方通信は、クライアントサイト８０からのアクティブな定期的報告プロセスである。メータ８３は、計測通信装置８１に予め設定されたスケジュールで、データをコントロールセンタ７０に報告する。スケジュールは、通常電話の利用頻度の少ない、例えば夜中に設定することによって、電話の利用の妨げとなることを防止している。
【００４０】
もしユーザが、予め設定したスケジュールの時間に電話８０を利用していた場合、計測通信装置８１が自動的にデータ通信を後の時間に再設定する。内方通信のフローチャートは、図６に示されている。全作業の組織構成は、図４に示されている。
【００４１】
まず、クライアントサイトでの電話が利用されているかどうかを確認する（ステップ８０）。ライン切換モジュール８１３のユーザプライオリティ検知器８１３１は、ユーザが電話８２を利用しているかどうかを検知する。もしどのユーザも電話８２を使用していないとすれば、電話ラインをメータに切換え（ステップ９１）、ライン切換モジュール８１３が電話線をデータ送信モジュール８１４に切換える。しかし、ユーザが電話を使用していた場合（ステップ９２）、ラインが電話利用のままに維持される。
【００４２】
ラインをデータ通信モジュール８１４に切換えることによって、呼出信号を計測通信装置からコントロールセンタオに送ることができる（ステップ１００）。コントロールセンタが、呼出信号からコーラーＩＤを取得し（ステップ１１０）、クライアントサイト８０を識別する。データ通信モジュール８１４は、さらに送信を開始する前に、コントロールセンタ７０との接続を確認する。
【００４３】
そして、メータとコントロールセンタとの間を通信することによって（ステップ１２０）、データ通信モジュール８１４が、コントロールセンタ７０にメータ８３のデータを送信する。データ送信の間、データ送信表示機８１４１は、ＬＥＤの点滅等によって表示を行い、ユーザにデータが送信中であることを告げる。データ通信が完了したかを確認し（ステップ１３１）、データ送信モジュール８１４の全データが完了したかを確認する。もし、データ送信が完了していた場合、メータとコントロールセンタとの間の通信を停止し、電話線を電話へと切換え（ステップ１４０）、内方送信を終了させる。
【００４４】
しかし、データ送信モジュール８１４がまだ稼動中であった場合、ユーザが電話を利用しているかどうかを確認する（ステップ１３２）。いずれのユーザも電話８２を利用しようとしていない場合、メータとコントロールセンタとの通信（ステップ１２０）が継続される。もしユーザが電話８２の利用を開始した場合、メータとコントロールセンタとの通信を中止し、電話線を電話へと切換える（ステップ１４０）。
【００４５】
本発明は上記のように説明したが、様々な変形が容易に考えられる。そのような変形は、本発明の精神と権利の範囲から逸脱しないものであり、それらの全変更は、当業者にとってここに記載される請求の範囲の範疇に属するように構成されたことは自明であろう。
【００４６】
本発明は、以下に記載した詳細な説明からより充分に理解が可能なものとなるが、ここに記載されたことはあくまで例に過ぎず、したがって本発明を限定するものとはならない。
【図面の簡単な説明】
【００４７】
【図１】従来のテレメトリシステムの組織図。
【図２】従来の呼出信号抑制テレメトリシステムの組織図。
【図３】本発明の計測通信システムの組織図。
【図４】本発明に基づく計測通信装置とその接続に関するブロック図。
【図５】本発明に基づく外方（ＯＵＴＢＯＵＮＤ）送信のフローチャート。
【図６】本発明に基づく内方（ＩＮＢＯＵＮＤ）送信のフローチャート。
【符号の説明】
【００４８】
１０              コントロールセンタ
７０              コントロールセンタ
８０              クライアントサイト
８１              計測通信装置
８１１            呼出信号検知モジュール
８１２            中央演算モジュール
８１３            ライン切換モジュール
８１３１          ユーザプライオリティ検知器
８１４１          データ送信表示機
８１４            データ送信モジュール
８１５            メモリ
８２              電話
８３              メータ
９０              公共切換電話回線網
【図１】
2004312670.tif 000003
【図２】
2004312670.tif 000004
【図３】
2004312670.tif 000005
【図４】
2004312670.tif 000006
【図５】
2004312670.tif 000007
【図６】
2004312670.tif 000008